(57)【特許請求の範囲】
【請求項１】
箱体内を換気するために側板に形成された開口部に取り付けられるフィルターユニットの取り付け構造において、前記フィルターユニットの枠部の適宜箇所にねじ挿通孔を穿設し、該ねじ挿通孔に前記枠部の前面から取り付けねじを挿通させて前記枠部の裏面の前記箱体の開口部より内側に相当する位置に固定具を螺合し、前記取り付けねじを締めることによって前記固定具が回転して外側を向いた際に前記枠部の裏面に突設した回り止め部に当接させて回転を阻止し、更に前記取り付けねじを締めることによって前記枠部と前記固定具とで前記箱体の側板を挟持固定することを特徴とするフィルターユニットの取り付け構造。
【発明の詳細な説明】
【０００１】
【発明の属する技術分野】
本発明は、箱体内を換気するためのフィルターユニットの取り付け構造に関する。
【０００２】
【従来の技術】
従来、図３に示すようにフィルターユニット１１は、内部にフィルター１２を収納し、背面に換気ファン１３が取り付けられるフィルター収納部１４ａと、フィルター収納部１４ａの前面開口周縁に張設された枠部１４ｂとを有する本体１４と、本体１４のフィルター収納部１４ａの前面開口を閉塞するパネル１５とで構成されている。パネル１５は複数のスリット孔１５ａが形成され、四隅を螺着して固定されている。このフィルターユニット１１を箱体１６の側板１６ａに形成した開口部１６ｂに取り付けるには、本体１４の枠部１４ｂの四隅に取り付けねじ１８が挿通するためのねじ挿通孔１４ｃを穿設し、ねじ挿通孔１４ｃと対向する箱体１６の側板１６ａにねじ挿通穴１６ｃを穿設し、本体１４を箱体１６の開口部１６ｂに嵌めて手で押さえ、箱体１６の外側から枠部１４ｂのねじ挿通孔１４ｃと箱体１６のねじ挿通穴１６ｃに取り付けねじ１８を挿通させて箱体１６の内側のナット１９に螺着して固定していた。
【０００３】
【発明が解決しようとする課題】
従来のフィルターユニットの取り付け構造では、本体を押さえながら箱体の外側と内側で取り付け作業をしなければならないため、１人で行うには非常に困難であった。また、取り付けねじを挿通させるための穴加工が多いため、手間が掛かり、寸法精度がない場合は、フィルターユニットのねじ挿通孔と箱体のねじ挿通穴がずれて取り付けが困難になっていた。
【０００４】
そこで上記問題点に鑑み、本発明の目的は、箱体の外側から取り付けることができ、穴加工を少なくして施工性を向上するフィルターユニットの取り付け構造を提供することである。
【０００５】
【課題を解決するための手段】
上記目的を達成するために、箱体内を換気するために側板に形成された開口部に取り付けられるフィルターユニットの取り付け構造において、フィルターユニットの枠部の適宜箇所にねじ挿通孔を穿設し、ねじ挿通孔に枠部の前面から取り付けねじを挿通させて枠部の裏面の箱体の開口部より内側に相当する位置に固定具を螺合し、取り付けねじを締めることによって固定具が回転して外側を向いた際に枠部の裏面に突設した回り止め部に当接させて回転を阻止し、更に取り付けねじを締めることによって枠部と固定具とで箱体の側板を挟持固定することを特徴とする。
【０００６】
【発明の実施の形態】
フィルターユニットの枠部の四隅にねじ挿通孔を穿設し、枠部の前面からねじ挿通孔に取り付けねじを挿通させて枠部の裏面に固定具を螺合する。枠部の裏面の固定具の近傍には回り止め部を突設し、取り付けねじを締め付け、固定具が回転して外側方向に向いた際に回り止め部に当接し、回転を阻止するようにする。
更に取り付けねじを締め付けると固定具は枠部に近づくように移動し、枠部と固定具の湾曲部とで箱体の側板を挟持してフィルターユニットが固定される。
【０００７】
【実施例】
本発明に係るフィルターユニットの取り付け構造の一実施例を図１及び図２の添付図面に基づいて説明する。
【０００８】
フィルターユニット１は、内部に図中斜線で示すフィルター２を収納し、背面に換気ファン３が取り付けられるフィルター収納部４ａと、フィルター収納部４ａの前面開口周縁に張設された枠部４ｂとを有する本体４と、本体４のフィルター収納部４ａの前面開口を閉塞するパネル５とで構成されている。パネル５は複数のスリット孔５ａが形成され、四隅を螺着して固定している。
【０００９】
フィルターユニット１を取り付ける箱体６は、側板６ａにフィルターユニット１の枠部４ｂより小さい矩形状の開口部６ｂが形成されている。
【００１０】
フィルターユニット１の枠部４ｂの四隅の裏面には、取り付け時に箱体６の開口部６ｂの内側に相当する位置に固定具７が設けられる。固定具７は先端側に湾曲部７ａが形成され、基端側にタップ孔７ｂが形成され、枠部４ｂの四隅に穿設したねじ挿通孔４ｃに前面側から取り付けねじ８を挿通させてタップ孔７ｂに螺合させて取り付けられている。
【００１１】
フィルターユニット１を開口部６ｂに取り付けるには、まず、固定具７の湾曲部７ａが内側方向に向いた状態で箱体６の外側から開口部６ｂにフィルター収納部４ａを嵌め込み、枠部４ｂを箱体６の側板６ａに当接させる。それから取り付けねじ８を締め付ける。取り付けねじ８を締め付けると固定具７も同一方向に回転する。枠部４ｂの裏面の固定具７の近傍には回り止め部４ｄが突設され、固定具７の先端側である湾曲部７ａが外側方向に向いた際に回り止め部４ｄに当接して固定具７の回転を阻止するようになっている。そのため、更に取り付けねじ８を締め付けていくと、固定具７は枠部４ｂに近づくように移動し、枠部４ｂと固定具７の湾曲部７ａとで箱体６の側板６ａを挟持してフィルターユニット１が固定される。
【００１２】
尚、本実施例においてフィルターユニット１の枠部４ｂの四隅に固定具７を設けたが、これに限定するものではなく、フィルターユニットのサイズに合わせて適宜箇所に設けると良い。
【００１３】
また、本実施例においてフィルターユニットの背面に換気ファンを取り付けたが、換気ファンを取り付けずにフィルターユニット単体でも使用することができる。フィルターユニットの取り付け位置は箱体の側板に限定せず、箱体の天板に取り付けても良い。
【００１４】
【発明の効果】
以上説明したように箱体内を換気するために側板に形成された開口部に取り付けられるフィルターユニットの取り付け構造において、フィルターユニットの枠部の適宜箇所にねじ挿通孔を穿設し、ねじ挿通孔に枠部の前面から取り付けねじを挿通させて枠部の裏面の箱体の開口部より内側に相当する位置に固定具を螺合し、取り付けねじを締めることによって固定具が回転して外側を向いた際に枠部の裏面に突設した回り止め部に当接させて回転を阻止し、更に取り付けねじを締めることによって枠部と固定具とで箱体の側板を挟持固定することにより、箱体の外側から取り付けることができるので１人でも容易に取り付けが可能になり、従来と比較して箱体の穴加工が不要になるので施工性が大幅に向上するという優れた効果がある。
【図面の簡単な説明】
【図１】本発明のフィルターユニットを示す分解斜視図である。
【図２】本発明のフィルターユニットの取り付け方法を示す説明図である。
【図３】従来のフィルターユニットを取り付ける様子を示す斜視図である。
【符号の説明】
１    フィルターユニット
４    本体
４ａ  フィルター収納部
４ｂ  枠部
４ｃ  ねじ挿通孔
４ｄ  回り止め部
６    箱体
６ａ  側板
６ｂ  開口部
７    固定具
７ａ  湾曲部
７ｂ  タップ孔
８    取り付けねじ
【図１】
0004702919.tif 000002
【図２】
0004702919.tif 000003
【図３】
0004702919.tif 000004